(57)【要約】      （修正有）【課題】装置の小型化を達成し、且つユーザビリティーを低下させずにランニングコスト（コスト／頁）を低減する画像形成装置を提供する。【解決手段】静電潜像を形成する感光体１と、感光体１を均一帯電させる帯電ローラ２と、静電潜像を現像剤により現像剤像として顕像化する現像装置４と、感光体１上に残った転写残現像剤をクリーニングする像担持体クリーニング装置５とを有し、第ｉ番目の画像形成ユニットＰにおける感光体１の転写位置と第ｉ＋１番目の画像形成ユニットＰにおける感光体１の転写位置を結ぶ線に対して垂直な方向で、第ｉ番目の画像形成ユニットＰにおける像担持体クリーニング装置５と第ｉ＋１番目の画像形成ユニットＰにおける現像装置４が重なりをもって配置され、最終色である第ｍ＋１番目の画像形成ユニットＰＫは、クリーニング装置を有しない、クリーナレスの画像形成ユニットであることを特徴する。【選択図】図１
2005043561.tif 000002
【特許請求の範囲】
【請求項１】
複数色の現像剤を其々に有した複数個の画像形成ユニット（第１、第２、・・第ｉ・・、第ｍ、第ｍ＋１）によって形成された現像剤像を、中間転写体上で順次重ね合わせて、多色の画像を形成する画像形成装置において、
前記第１番目から第ｍ番目までの画像形成ユニットは、静電潜像を形成する像担持体と、該像担持体を均一帯電させる帯電部材と、静電潜像を現像剤により現像剤像として顕像化する現像装置と、像担持体上に残った転写残現像剤をクリーニングする像担持体クリーニング装置とを有し、第ｉ番目の画像形成ユニットにおける像担持体の転写位置と第ｉ＋１番目の画像形成ユニットにおける像担持体の転写位置を結ぶ線に対して垂直な方向で、第ｉ番目の画像形成ユニットにおける像担持体クリーニング装置と第ｉ＋１番目の画像形成ユニットにおける現像装置が重なりをもって配置され、
前記最終色である第ｍ＋１番目の画像形成ユニットは、クリーニング装置を有しない、クリーナレスの画像形成ユニットであることを特徴する画像形成装置。
【請求項２】
前記最終色である第ｍ＋１番目の画像形成ユニットは、転写残トナーを一時的に回収拘束する為の一時回収部材を、前記像担持体の回転方向に対して、転写位置より下流側で且つ前記帯電部材より上流側に配置したことを特徴とした実施態様１に記載の画像形成装置。
【請求項３】
前記一時回収部材はブラシ状の部材より形成されることを特徴とした実施態様２に記載の画像形成装置。
【請求項４】
前記像担持体クリーニング装置は、前記現像装置と前記中間転写体との間に配置されることを特徴とする実施態様１乃至実施態様３のいずれかに記載の画像形成装置。
【請求項５】
前記像担持体クリーニング装置は、前記現像装置と前記中間転写体との間に配置され、前記中間転写体から現像装置までの距離は、前記像担持体クリーニング装置の高さより長いことを特徴とする実施態様１乃至実施態様４のいずれかに記載の画像形成装置。
【請求項６】
前記１番目から第ｍ番目までの画像形成ユニットは、前記現像装置と、前記像担持体及び前記帯電部材並びに前記像担持体クリーニング装置を一体とした部分と、で分離可能であり、
前記最終色である第ｍ＋１番の画像形成ユニットは、前記現像装置と、前記像担持体及び前記帯電部材を一体とした部分と、分離可能であり、
前記現像装置のみでの交換が可能であることを特徴とする実施態様１乃至実施態様５のいずれかに記載の画像形成装置。
【請求項７】
画像形成装置本体の上部は回動可能であり、
前記画像形成ユニットにおける前記像担持体及び前記帯電部材を一体とした部分は、前記画像形成装置本体の上部は回動に伴って前記中間転写体と一体にて回動可能であり且つ、該中間転写体より分離、交換可能であることを特徴とする実施態様６に記載の画像形成装置。
【請求項８】
前記中間転写体は、中間転写体上に多色画像を形成した後、転写材に再転写を行うことを特徴とする実施態様１乃至実施態様７のいずれかに記載の画像形成装置。
【発明の詳細な説明】
【０００１】
【発明の属する技術分野】
本発明は、静電記録方式や電子写真方式等の画像形成プロセスを利用した画像形成装置に関し、特に複数の像担持体上のトナー像を、多重転写することにより、多色画像を得ることができる画像形成装置に関するものである。
【０００２】
【従来の技術】
デジタルカラー複写機の普及に伴い様々な形態の画像形成装置が考案されており、その中で現像剤の色ごとに複数色の画像形成部（以下画像形成ユニット）を設け、各画像形成ユニット毎で像担持体上に可視画像を形成し、該可視画像を紙等の転写材に順次転写し、更には一括定着してカラー画像を得る画像形成装置が提案・開発されている。
【０００３】
また、中間転写体を設け、各色毎の可視画像を該中間転写体上に一旦多重転写しておき、該中間転写体から転写材に一括転写を行う、中間転写体方式がある。この中間転写体方式の利点は転写材の種類を選ばず良質な画像が得られると供に転写材の搬送方法がシンプルになる為、装置の中で転写材のジャムが発生しにくく、又、ジャムが発生したとしても処理が容易な構成となっている。
【０００４】
中間転写体を用いた従来の画像形成装置について説明する。図９に示すカラー画像形成装置は装置本体内にマゼンダ、シアン、イエロー、ブラックの現像剤（以下トナーという）をそれぞれ有する画像形成ユニットＰＹ、ＰＭ、ＰＣ、ＰＫを備え、各画像形成ユニットＰＹ〜ＰＫで形成された可視画像を無端状の中間転写体Ｔ上に順次転写して多色画像を形成した後、転写材Ｓに一括転写を行ないフルカラーの画像形成を行うものである。
【０００５】
以下に画像形成工程について簡単に説明する。また各画像形成ユニットＰＹ〜ＰＫは実質的に同一の構成を有している為、図中点線枠内で示した画像形成ユニットＰＹについてのみ説明する。
【０００６】
画像形成ユニットＰＹは、図中矢印方向に回転駆動される像担持体としての感光体１Ｙを有し、感光体１Ｙの周辺には、感光体１Ｙを一様に帯電する帯電ローラ２Ｙ、感光体１Ｙ上に所望の静電潜像を形成する像露光装置３Ｙ、感光体１Ｙ上に形成された静電潜像を現像する現像装置４Ｙ、現像された可視画像を中間転写体Ｔに転写する転写部材６Ｙ、感光体上に残存するトナーを除去する像担持体クリーニング装置５Ｙが感光体１Ｙの回転方向に順次配設されている。
【０００７】
帯電ローラ２Ｙにて一様に帯電された感光体面は、像露光装置３Ｙ（本例では、ＬＥＤ発光素子をドラムの母線方向に並べたＬＥＤヘッド）により、カラー画像のイエロー成分像に対応して露光され静電潜像が形成される。この静電潜像を、イエロー色のトナーを内包した現像装置４Ｙにて現像・顕像化する。
【０００８】
現像装置４Ｙは感光体１Ｙに接触して回転可能に配置された現像剤担持体である現像ローラ７Ｙと、現像ローラ７Ｙにイエロートナーを供給する為、現像ローラ７Ｙに接触して回転可能に配置された弾性状の現像剤供給部材（図中不図示）とを有している。現像剤供給部材により現像ローラ７Ｙに供給されたイエロートナーは規制部材（図中不図示）にて現像ローラ７Ｙ上でその層厚規制と電荷付与が行なわれ、感光体１Ｙとの対向部まで搬送される。
【０００９】
感光体１Ｙ上に形成された静電潜像は現像ローラ７Ｙ上のイエロートナーによって顕像化され、１次転写部Ｔ１にて中間転写体Ｔに転写され次色の画像形成ユニットＰＭへと搬送される。次色のマゼンダトナーを有する画像形成ユニットＰＭでも同様な画像形成が行われ、中間転写体Ｔ上のイエロー像上にマゼンダ像が形成される。このようにしてシアン像、ブラック像も順次中間転写体Ｔ上に重ねられ、多色画像が形成される。中間転写体Ｔ上に形成された多色画像は、２次転写部Ｔ２にて転写材Ｓに一括転写された後、定着器９にて転写材Ｓ上に定着される。
【００１０】
また、感光体１Ｙより中間転写体Ｔに転写されなかった転写残トナーはクリーニング装置５Ｙにて回収される。また、中間転写体Ｔより転写材Ｓへ転写されなかった転写残トナーは、中間転写体Ｔと一体ユニット化された中間転写体クリーニング装置Ｃにより回収される。
【００１１】
【発明が解決しようとする課題】
電子写真の画像形成装置は、近年、市場より更なる小型化が要求されているが、上述した画像形成ユニットにおける構成部材の小型化にも限界があり、例えば、ドラム状の感光体を用いた場合、感光体の大きさを小さくしていくと、周囲に部材が配置できなくなってしまう可能性がある。よって、感光体に対し周りの部材をいかに効率よく配置するのかが課題となっている。
【００１２】
また、上述したような非磁性１成分現像を用いた画像形成ユニットの場合、現像装置内のトナーが無くなると、ユニットをまるごと交換する手法が開発されている。この手法はユーザーにトナー充填のわずらわしさを与えないとともに、ユニットに何か故障等の不具合が生じた場合でも、ユニットそのものを交換すれば解決する為、ユーザーの取り扱い（ユーザビリティ）は非常に簡易となる。しかしながら、その分、一つのユニットの価格が高くなり、必然的に１ページ当たりのコスト（ランニングコスト）は高いものとなってしまう欠点があった。
【００１３】
そこで本発明では、装置の小型化を達成し、且つユーザビリティーを低下させずにランニングコスト（コスト／頁）を低減する画像形成装置を提供することを目的とする。
【００１４】
【課題を解決するための手段】
上記課題を解決するために本発明に係る画像形成装置の代表的な構成は、複数色の現像剤を其々に有した複数個の画像形成ユニット（第１、第２、・・第ｉ・・、第ｍ、第ｍ＋１）によって形成された現像剤像を、中間転写体上で順次重ね合わせて、多色の画像を形成する画像形成装置において、前記第１番目から第ｍ番目までの画像形成ユニットは、静電潜像を形成する像担持体と、該像担持体を均一帯電させる帯電部材と、静電潜像を現像剤により現像剤像として顕像化する現像装置と、像担持体上に残った転写残現像剤をクリーニングする像担持体クリーニング装置とを有し、第ｉ番目の画像形成ユニットにおける像担持体の転写位置と第ｉ＋１番目の画像形成ユニットにおける像担持体の転写位置を結ぶ線に対して垂直な方向で、第ｉ番目の画像形成ユニットにおける像担持体クリーニング装置と第ｉ＋１番目の画像形成ユニットにおける現像装置が重なりをもって配置され、前記最終色である第ｍ＋１番目の画像形成ユニットは、クリーニング装置を有しない、クリーナレスの画像形成ユニットであることを特徴する。
【００１５】
【発明の実施の形態】
［第一実施形態］
本発明に係る画像形成装置の第一実施形態について、図を用いて説明する。図１は本実施形態にかかる画像形成装置の断面図である。尚、本実施形態で用いる画像形成手段は非磁性１成分トナーを用いた接触現像方式であり、更には転写方法として中間転写方式を用いている。
【００１６】
画像形成装置は、装置本体内に第１、第２、第３及び第４の４つの画像形成ユニットＰＹ、ＰＭ、ＰＣ及びＰＫを備えている。各画像形成ユニットＰＹ〜ＰＫの上部には、各画像形成ユニットＰＹ〜ＰＫで形成された画像を順次多重転写する為のベルト状の中間転写体Ｔが図中矢印の方向に移動可能に配置されている。
【００１７】
画像形成ユニットＰＹ〜ＰＫは、イエロー、マゼンダ、シアン、ブラックのトナー像をそれぞれ形成するものであり、各画像形成ユニット毎に、回転可能な像担持体である感光体１Ｙ、１Ｍ、１Ｃ及び１Ｋと、感光体１に従動回転しながら感光体表面を一様に帯電する帯電部材である帯電ローラ２Ｙ、２Ｍ、２Ｃ及び２Ｋと、トナーを収容し、感光体上に形成された各静電潜像を現像する為の現像装置４Ｙ、４Ｍ、４Ｃ及び４Ｋと、中間転写体Ｔに転写されなかったトナーを、感光体上より回収する為の像担持体クリーニング装置５Ｙ、５Ｍ、５Ｃとが配置されている。４色目の画像形成ユニットＰＫは像担持体クリーニング装置を有さないクリーナレスの画像形成ユニットである。
【００１８】
なお、図１に示す画像形成装置は、転写部材Ｔが感光体１より下にて駆動されるものであるが（図２（ａ）参照）、図３、図４、図５に示すように、転写部材Ｔがドラム位置より上にて駆動される画像形成装置であっても本発明を適用できる。
【００１９】
次に、画像形成の工程を説明する。また各画像形成ユニットＰＹ、ＰＭ、ＰＣまでは同様な工程が繰り返される為、第一の画像形成ユニットＰＹついて説明する。又、最終色の画像形成ユニットＰＫについては別途説明する。
【００２０】
図２（ａ）に示すように、画像形成部ＰＹにおいて、感光体１Ｙは、図中矢印の方向への回転過程で、帯電器２Ｙにより所望の極性・電位に均一帯電処理され、次いで露光装置３Ｙによりイエロー成分のデータに応じた画像露光を受け、静電潜像が形成される。この静電潜像を、イエロートナーを内包した現像装置４Ｙに設置された現像ローラ７Ｙ上のトナーにより現像・顕像化して、トナー像を感光体１Ｙ上に形成する。感光体１Ｙ上に形成されたトナー像は、中間転写体Ｔ方向へと搬送され、中間転写体Ｔを挟んで感光体１Ｙと対向して配置された転写ローラ６Ｙとの対向部（１次転写部Ｔ１）において、転写ローラ６Ｙに印加される転写バイアスにより中間転写体Ｔ上に転写される。
【００２１】
転写されたイエロー像は、次の画像形成ユニットＰＭ方向に送られ、ＰＹと同様な画像工程により形成された感光体１Ｍ上のマゼンダトナー像がイエロー像の上に多重転写される。この工程はＰＣ、ＰＫにおいても繰り返し行われ、最終的には中間転写体Ｔ上に各色のトナー像が多重転写されたカラー画像が形成される。その後、中間転写体Ｔ上のカラー画像は、２次転写ローラ１０と対向する位置（２次転写部Ｔ２）で、シート積載トレイ１４から搬送ローラ１５によって搬送された紙等の転写材Ｓに一括転写された後、定着器９にて定着される。そして、カラー画像を転写された転写材Ｓは画像形成装置外に排出される。
【００２２】
一方、中間転写体Ｔに転写されず、感光体１Ｙ上に残留した転写残トナーは像担持体クリーニング装置５Ｙにて、感光体１Ｙ表面より回収される。
【００２３】
但し、画像形成ユニットＰＫのみについてはクリーニング装置をもたない構成となっている為、転写残トナーは回収されない。よって、このまま転写残トナーが帯電ローラ２Ｋを通過すると、転写残トナーが多量にあった場合、その位置で帯電不良が発生することがある。
【００２４】
そこで本構成では、感光体１Ｋの回転方向において１次転写部Ｔ１より下流側でかつ帯電ローラ２Ｋより上流側に、一時回収部材としてブラシ状の一時回収ローラ１３を配置している。一時回収ローラ１３は、感光体１Ｋと接触し、感光体１Ｋと逆方向に駆動回転する。かかる駆動回転にともないって、一時回収ローラ１３は、転写残トナーを一時的に回収しつつ、回収されたトナーを所望の極性に帯電させた後、紙間、前回転、後回転等の画像形成を行わない時に感光体１Ｋ上に吐き出す。
【００２５】
一時回収ローラ１３は、感光体１Ｋとの間で電界を形成する為の導電性と、トナーを帯電させる為の絶縁性を有することが必要となる。よって、一時回収ローラ１３は、本実施形態で使用しているトナーがネガ帯電のトナーである為、摩擦帯電極性としてナイロン等のネガ付与性繊維をベースとした導電性繊維にて形成し、抵抗を１０４〜１０８Ω程度とし、感光体１Ｋに対してある程度の電界が形成されるよう構成した。なお、導電性繊維の密度は０．１〜３．１万本／ｃｍ２で且つパイル長が１〜１０ｍｍになるよう設定した。
【００２６】
尚、本実施形態ではローラ状のブラシを用いているが、固定系のブラシでもよく、上記繊維材料を用いれば、転写残トナーの一時的回収と吐き出しが可能である。
【００２７】
ここで、転写残トナーの回収と吐き出し動作について説明する。まず、画像形成中は一時回収ローラ１３にプラスのバイアスを印加し、マイナスに帯電した転写残トナーを感光体１上から回収して拘束する。一時回収ローラ１３に拘束されたトナーは、一時回収ローラ１３に拘束されている際に一時回収ローラ１３と摩擦帯電して均一にマイナスに再帯電される。
【００２８】
画像形成が終わると、一時回収ローラ１３にはマイナスのバイアスが印加され、拘束されてマイナスに再帯電したトナーは感光体１上に吐き出される。吐き出されたトナーは帯電ローラ２Ｋを通過するが、この際、帯電ローラ２Ｋにはマイナスのバイアスが印加されているため帯電ローラ２Ｋをそのまま通過する。その後、現像装置４Ｋまで搬送された転写残トナーは、現像装置４Ｋにそれらのトナーを回収するようバイアスが印加されて現像装置４Ｋ内にトナーが回収される。
【００２９】
尚、中間転写体Ｔ上の多色画像も転写材Ｓに転写される際、中間転写体Ｔ上にトナーが残留する場合がある。この転写残トナーは、中間転写体Ｔとイエロー現像装置４Ｙとの間にて配置された中間転写体クリーニング装置１１によって回収されることになる。
【００３０】
画像形成ユニットの形態を説明する。図２（ａ）、図２（ｂ）は転写部材Ｔがドラム位置より下にて駆動される画像形成ユニットの構成図、図３（ａ）、図３（ｂ）は転写部材Ｔがドラム位置より上にて駆動される画像形成ユニットの構成図である。
【００３１】
図２（ａ）、図３（ａ）、図４、図５に示すように、画像形成ユニットＰは、感光体１、帯電ローラ２、現像装置４、像担持体クリーニング装置５から構成され、全体としては点線で囲んだようなクランク状の形態をとっている。帯電ローラ２、現像装置４、像担持体クリーニング装置５は、感光体１の周りに感光体１の回転方向に沿って配置されている。
【００３２】
但、最終色である第ｍ＋１番の画像形成ユニットＰＫは、クリーナレスユニットであるため、図２（ｂ）、図３（ｂ）に示すように、像担持体クリーニング装置に変えて一時回収ローラ１３を有している。
【００３３】
画像形成ユニットＰは、色毎に複数設けられ、隣り合う画像形成ユニットＰの凹凸が重なるよう配置している。感光体１Ｙ、１Ｍが中間転写体Ｔと接する位置Ｐ１、Ｐ２を結ぶ延長線に対し、垂直方向（図中破線Ｌ方向）にて、中間転写体Ｔの転写面を基準として、画像形成ユニットＰＹの像担持体クリーニング装置５Ｙ、次色の画像形成ユニットＰＭにおける現像装置４Ｍの順で、重なるよう配置されている。同様に、像担持体クリーニング装置５Ｍと現像装置４Ｃ、像担持体クリーニング装置５Ｃと現像装置４Ｋが重なるように配置されている。
【００３４】
具体的には、中間転写体Ｔから現像装置４までの距離Ｌが像担持体クリーニング装置５の高さＨ１より大きく、中間転写体Ｔと現像装置４の間のスペースに前色の像担持体クリーニング装置５が入るよう構成されている。
【００３５】
次に、画像形成ユニットの分離・交換方法について説明する。図２（ａ）、図３（ａ）、図４、図５に示すように、画像形成ユニットＰは現像装置４の部分Ａと、感光体１及び帯電ローラ２ならびに像担持体クリーニング装置５が一体化した部分Ｂとで分離可能となっている。
【００３６】
但、、最終色である第ｍ＋１番の画像形成ユニットＰＫは、クリーナレスユニットであるため、図２（ｂ）、図３（ｂ）に示すように、現像装置４Ｋの部分Ａと、感光体１Ｋ及び帯電ローラ２Ｋ並びに一時回収ローラ１３を一体とした部分Ｂが分離可能に構成されている。
【００３７】
現像装置４の部分Ａは、画像形成装置に着脱可能に構成され、現像装置４のみで交換できるようになっている。また、感光体１及び帯電ローラ２ならびに像担持体クリーニング装置５が一体化した部分Ｂも、中間転写体Ｔより離脱、交換可能となっている。
【００３８】
ここで、図２の画像形成ユニットＰでは、図６、図７に示すように、画像形成装置は、支点１２を中心に装置の上部が開くよう構成されている。また、Ｂ部分は中間転写体Ｔと供に一体にて回動可能に構成されている。画像形成装置の上部を上方に回動して開くことにより、各画像形成ユニットＰ内の現像装置４と感光体１が接する部分のラインＷで開口される。すなわち、中間転写体Ｔ、感光体１、像担持体クリーニング装置５、中間転写体クリーニング装置１１が画像形成装置上部に一体となったまま、画像形成装置の上方に開口され、現像装置４が画像形成装置の下部に残る。
【００３９】
これにより、ユーザーは、本実施形態のように画像形成ユニットＰが重ね合わせて配置されている構成においても、現像装置４のみへのアクセスが容易となる。その結果、下部に残った現像装置４のみを取り外し、新しい現像装置４と交換することができる。
【００４０】
また、感光体１及び帯電ローラ２ならびに像担持体クリーニング装置５が一体化した部分Ｂも、中間転写体Ｔより離脱、交換可能となっている。これにより、感光体１と像担持体クリーニング装置５を一体化し、どちらかに寿命もしくは不具合がおきた場合には、現像装置４とは別に、感光体１と像担持体クリーニング装置５を交換できる。
【００４１】
一方、図３の画像形成ユニットＰでは、図８で示すように、現像装置４を上方から引き抜くだけで交換可能である。また、感光体１及び帯電ローラ２ならびに像担持体クリーニング装置５が一体化した部分Ｂも、中間転写体Ｔより離脱、交換可能となっている。これにより、感光体１と像担持体クリーニング装置５を一体化し、どちらかに寿命もしくは不具合がおきた場合には、現像装置４とは別に、感光体１と像担持体クリーニング装置５を交換できる。
【００４２】
【発明の効果】
以上説明したように、第１番目から第ｍ番目までの画像形成ユニットは、静電潜像を形成する像担持体と、該像担持体を均一帯電させる帯電部材と、静電潜像を現像剤により現像剤像として顕像化する現像装置と、像担持体上に残った転写残現像剤をクリーニングする像担持体クリーニング装置とを有し、第ｉ番目の画像形成ユニットにおける像担持体の転写位置と第ｉ＋１番目の画像形成ユニットにおける像担持体の転写位置を結ぶ線に対して垂直な方向で、第ｉ番目の画像形成ユニットにおける像担持体クリーニング装置と第ｉ＋１番目の画像形成ユニットにおける現像装置が重なりをもって配置され、最終色である第ｍ＋１番目の画像形成ユニットは、クリーニング装置を有しない、クリーナレスの画像形成ユニットとした。
【００４３】
これにより、像担持体周りのスペースを有効に活用でき、装置の中で画像形成ユニットの閉める容積を低減することが可能となる。その結果、装置全体の小型化が達成される。また、最終色の画像形成ユニットは、クリーニング装置を有しないため、クリーナニング装置が出っ張ることなく、より無駄のない配置となり装置全体の小型化が達成される。
【００４４】
１番目から第ｍ番目までの画像形成ユニットは、現像装置と、像担持体及び帯電部材並びに像担持体クリーニング装置を一体とした部分と、で分離可能とし、最終色である第ｍ＋１番の画像形成ユニットは、現像装置と、像担持体及び帯電部材を一体とした部分と、分離可能であり、現像装置のみでの交換が可能とした。また、像担持体及び帯電部材を一体とした部分は、画像形成装置本体の上部は回動に伴って中間転写体と一体にて回動可能であり且つ、中間転写体より分離、交換可能とした。
【００４５】
これにより、上述の像担持体クリーニング装置と現像装置が重なりをもった配置であっても、像担持体クリーニング装置、現像装置等の交換や、ジャム等の不具合の処理におけるユーザビリティを損なうことはない。また、像担持体クリーニング装置、現像装置、像担持体及び帯電部材が別々に交換可能な構成をとることにより、それらを個々の寿命まで使用可能となり、ランニングコストも低減可能となる。
【図面の簡単な説明】
【図１】本実施形態にかかる画像形成装置の断面図である。
【図２】画像形成ユニットの配置図である。
【図３】画像形成ユニットの配置図である。
【図４】画像形成ユニットの構成図である。
【図５】最終色の画像形成ユニットの構成図である。
【図６】画像形成装置を開いた状態の断面図である。
【図７】画像形成ユニットのユーザビリティーを説明する図である。
【図８】画像形成ユニットのユーザビリティーを説明する図である。
【図９】従来の画像形成装置の断面図である。
【符号の説明】
Ａ、Ｂ        …部分
Ｐ        …画像形成ユニット
Ｔ        …中間転写体
１        …感光体
２        …帯電ローラ
３        …露光装置
４        …現像装置
５        …像担持体クリーニング装置
６        …転写ローラ
７        …現像ローラ
９        …定着器
１０        …２次転写ローラ
１１        …中間転写体クリーニング装置
１２        …支点
１３        …一時回収ローラ
１４        …シート積載トレイ
１５        …搬送ローラ
【図１】
2005043561.tif 000003
【図２】
2005043561.tif 000004
【図３】
2005043561.tif 000005
【図４】
2005043561.tif 000006
【図５】
2005043561.tif 000007
【図６】
2005043561.tif 000008
【図７】
2005043561.tif 000009
【図８】
2005043561.tif 000010
【図９】
2005043561.tif 000011